(57)【要約】  デジタル外科手術用スコープ（１００）を使う歯科用顕微鏡の処置方法は、実行すべきデジタル外科手術用スコープの機能を選択するステップ、画像データ読込装置（１２）もしくは画像データ処理／記憶装置３０から対応する画像を取得するステップ、画像データ処理／記憶装置によって画像を処理するステップ、そして、ディスプレイ（２０）上に画像を表示するステップを含む。歯科の外科手術の処置は、スクリーン上に表示された画像を見ながらおこなわれる。デジタル外科手術用スコープは、対象物の光学像を拡大するための顕微鏡レンズ・アセンブリ（１４）と、顕微鏡レンズ・アセンブリと同じ方向から同じ光学軸にそって対象物を照明するためのインライン照明装置（１６）を含む。画像データ処理／記憶装置は、顕微鏡レンズ・アセンブリと画像データ読込装置によって読み込まれた画像データを処理するためのものである。【選択図】図７
2009513304.tif 000002
【特許請求の範囲】
【請求項１】
１）対象物の光学像を拡大するための顕微鏡レンズ・アセンブリおよび顕微鏡レンズ・アセンブリと同じ方向から同じ光学軸にそって対象物を照明するためのインライン照明装置を含むデジタル外科手術用スコープと、
２）画像データ読込装置と、
３）顕微鏡レンズ・アセンブリおよび画像データ読込装置によって読み込まれた画像を処理するための画像データ処理／記憶装置と、
４）画像データ処理装置から画像を表示するための一つ以上のディスプレイと
を含むデジタル外科手術用スコープを使って、
ａ）実行すべきデジタル外科手術用スコープの機能を選択するステップと、
ｂ）画像データ読込装置もしくは画像データ処理／記憶装置から対応する画像を取得するステップと、
ｃ）画像データ処理／記憶装置によって画像を処理するステップと、
ｄ）ディスプレイ上に画像を表示して、歯科の外科手術の治療がディスプレイ上に表示される画像を見ることによりおこなわれるステップと
を含む歯科用顕微鏡の処置方法。
【請求項２】
デジタル外科手術用スコープの機能は、
ａ）スチル画像を読み込むステップと、
ｂ）ビデオ画像を流すステップと、
ｃ）画像を強調するステップと、
ｄ）ビデオ画像を再生するステップと、
ｅ）履歴をブラウズするステップと、
ｆ）ウインドウ・スクリーン上のストリーミング・ビデオ画像を画面移動するステップと
を含む請求項１の方法。
【請求項３】
画像を読み込むプロセスは、
ａ）画像の特性を調整することと、
ｂ）調整された画像を読み込むことと、
ｃ）他の機能が実行されるまで、画像を再生することと
を含み、
読み込まれた画像は、画像データ処理／記憶装置に保存される請求項２の方法。
【請求項４】
画像の特性は、
ａ）ホワイトバランスと、
ｂ）ＲＧＢカラー／ガンマ値と、
ｃ）視野領域と、
ｄ）ズームイン／アウトと、
ｅ）フルスクリーン表示と
を含み、
特性が、画像データ読込装置のゲイン、オフセット、そして、露光を制御することによって、さらに、調整される請求項３の方法。
【請求項５】
調整された画像を読み込むプロセスは、スナップ画像もしくはビデオを読み込むステップを含む請求項３の方法。
【請求項６】
調整された画像を読み込むプロセスは、
ａ）画像を削除することと、
ｂ）画像を保存することと、
ｃ）画像を元に戻すことと
を含む請求項３の方法。
【請求項７】
画像を強調するプロセスは、
ａ）画像の特性を調整することと、
ｂ）画像を解析することと、
ｃ）画像に注釈を入れることと
を含み、
画像の特性は、輝度、コントラスト、エッジ強調、そして、ヒストグラム・コントラストを含む請求項２の方法。
【請求項８】
画像を解析するプロセスは、
ａ）回転し、
ｂ）ズームインおよびズームアウトし、
ｃ）画面移動し、
ｄ）画像の幾何学的な寸法を測定し、
ｅ）拡大する
ための画像を処理するステップを含み、
虹彩絞りのあるデジタル外科手術用スコープに向かう光の総量を調整するステップを含む請求項７の方法。
【請求項９】
画像に注釈を入れるプロセスは、
ａ）テキストと、
ｂ）幾何学的な対象物と
を加えることを含み、
幾何学的な対象物は、線と図形を含む請求項７の方法。
【請求項１０】
履歴をブラウスするプロセスは、
ａ）サムネイル形式で記憶された画像のすべてを表示することと、
ｂ）システムの外部からインポートされる画像と共に画像データ読込装置から読み込む画像を表示することと、
ｃ）画像データ読込装置からの画像とシステムの外部からの画像とを比較することと、
ｄ）保存されるもしくは表示される多くの画像以外の画像を選択することおよび表示することと
を含み、
システムの外部からの画像は、Ｘ線検査の画像を含む請求項２の方法。
【請求項１１】
履歴をブラウスするプロセスは、
ａ）画像データ処理／記憶装置に保存される多くの画像から一つ以上の画像を選択することと、
ｂ）ディスプレイ上に選択した画像を表示することと
をさらに含む請求項１０の方法。
【請求項１２】
ウインドウを画面移動するプロセスは、
ａ）ライブ・ウインドウ・スクリーンを表示するステップと、
ｂ）ライブ・ウインドウ・スクリーンからある範囲を探し出すステップと、
ｃ）探し出されるウインドウ・スクリーンを処理するステップと、
ｄ）処理されたウインドウ・スクリーンを表示するステップと
を含み、
ライブ・ウインドウ・スクリーンおよび処理されたウインドウ・スクリーンは、同じディスプレイ上に表示され、処理するプロセスは、読み込みするステップ、拡大するステップ、そして、ズームインおよびアウトするステップを含み、探し出すプロセスは、所定の幾何学的な図形のカーソルをトラックするステップおよびカーソルの内部をズームするステップ
を含む請求項２の方法。
【請求項１３】
画像データ処理／記憶装置は、歯科の診断と手術の間に画像データ読込装置から画像データを記憶し、処理し、そして、表示するものであり、デジタル外科手術用スコープは、患者から十分離されており、デジタル外科手術用スコープは、三次元でデジタル外科手術用スコープを処置するためのフリー・バランス・メカニカル・アームを含む請求項１の方法。
【請求項１４】
ａ）画像を削除するステップと、
ｂ）画像をエクスポートするステップと、
ｃ）システムの外部から画像をインポートするステップと、
ｄ）マルチビューするステップと、
ｅ）画像を印刷するステップと、
ｆ）患者に従い体系づけられているデータベースと共に画像を管理するステップと
をさらに含む請求項１の方法。
【請求項１５】
前記システムは、
ａ）多数のデジタル外科手術用スコープと、
ｂ）コミュニケーションネットワークと、
ｃ）画像データ処理／記憶装置の動きを制御するための一つ以上の制御装置と、
ｄ）デジタル外科手術用スコープに向かって口の内側から画像を反射させるためにデジタル外科手術用スコープから延長された棒の上に配置される取り外し可能な鏡と
をさらに含み、
制御装置は、ボタン、ペダル、そして、レバーを含む請求項１の方法。
【請求項１６】
ａ）一つ以上の離れたディスプレイに画像を表示するステップと、
ｂ）インターネット経由でコミュニケーションネットワークを通して画像およびビデオを流し、放送するステップと、
ｃ）制御装置と共に画像データ読込装置および画像データ処理／記憶装置の動作を制御するステップと
をさらに含む請求項１５の方法。
【請求項１７】
画像データ読込装置は、電荷結合素子（ＣＣＤ）もしくは相補型金属酸化膜半導体（ＣＭＯＳ）を含み、画像データ処理／記憶装置は、コンピュータを含み、インライン照明装置は、光源およびビームスプリッタを含み、光源は、光ファイバ装置を含み、顕微鏡の光学軸と平行に光を放出し、デジタル外科手術用スコープは、メインボックスおよび光ファイバケーブルをさらに含み、インラインレンズ・アセンブリおよびインライン照明装置を含み、メインボックスは、電源ユニットおよび画像データ読込装置を含み、デジタル外科手術用スコープは、光学およびデジタルズームを含めて近い将来には１２０倍以上の調整可能な倍率をもつ請求項１の方法。
【請求項１８】
インライン照明装置は、鏡もしくはプリズムをさらに含み、光源は、光ファイバ装置を含み、顕微鏡の光学軸と平行に光を放出し、鏡もしくはプリズムは、光源から光の方向を９０度もしくは異なる角度に変更し、ビームスプリッタは、光学軸に向かって４５度もしくは９０度で顕微鏡の光学軸に配置され、ビームスプリッタは、対象物に向かって、鏡もしくはプリズムから光を反射させており、顕微鏡のレンズ・アセンブリに向かって対象物から光を通過することを許容する請求項１７の方法。
【請求項１９】
ａ）新しい患者の情報のデータベースを作成するステップと、
ｂ）データベースから所定の患者の情報もしくは所定の患者の検査履歴を検索するステップと
をさらに含む請求項１の方法。
【請求項２０】
１）対象物の光学像を拡大するための顕微鏡のレンズ・アセンブリと同じ光学軸に沿って、顕微鏡のレンズ・アセンブリと同じ方向から対象物に照明するためのインライン照明装置を含むデジタル外科手術用スコープと、
２）画像データ読込装置と、
３）顕微鏡レンズ・アセンブリおよび画像データ読取装置により撮られた画像の処理のための画像データ処理／記憶装置であって、データベースを含む画像データ処理／記憶装置と、
４）画像データ処理装置から画像を表示するために１つ以上のディスプレイと
を含むデジタル外科手術用スコープを使って、
ａ）新しい患者に対するデータベースの入力項目を作成するステップと、
ｂ）所定の患者を選択して、データベースから関係する情報を検索するステップと、
ｃ）検索された情報を表示するステップと、
ｄ）患者に対する新しい検査項目を作成するステップと、
ｅ）検査の履歴を開き、患者の検査項目を選択するステップと、
ｆ）画像を読み込むステップと、
ｇ）画像を強調するステップと、
ｈ）患者の履歴をブラウズするステップと、
ｉ）画像の機能を選択し、実行し、機能は、削除すること、エクスポートすること、イン
ポートすること、マルチビューすること、印刷すること、そして、データベースの画像を管理することを含むステップと
を含み、
読み取った画像のステップは、
ｃ１）カメラ制御、ホワイトバランス、ＲＧＢカラー・ガンマ値、視野領域、ズームイン、ズームアウト、そして、フルスクリーンを調整することによって、ライブ画像の特性を調整し、カメラ制御は、ゲイン、オフセット、そして、露光を含むステップと、
ｃ２）調整されたライブ画像を表示するステップと、
ｃ３）スナップ画像およびビデオクリップを読み込むステップと、
ｃ４）読み込むことをフットペダル、もしくは、ボタンで制御するステップと、
ｃ５）読み込んだ画像もしくはビデオを再生するステップと、
ｃ６）削除すること、保存すること、そして、元に戻す機能を選択するまでは、画像もしくはビデオの詳細を表示するステップと
を含み、
画像を強調するステップは、
ｅ１）輝度、コントラスト、エッジ強調、そして、ヒストグラム・コントラストを制御することで、画質を調整するステップと、
ｅ２）回転し、ズームインし、ズームアウトし、画面移動し、拡大し、そして、幾何学的な寸法を計測するための画像を処理するために画像を解析し、幾何学的な寸法は、角度、長さ、２点間の距離を含むステップと、
ｅ３）テキストおよび幾何学的な対象物を加えるために、画像に注釈を入れ、幾何学的な対象物は、線や図形を含むステップと
を含み、
患者の履歴をブラウズするステップは、
ｂ１）サムネイル形式ですべての画像を表示することと、
ｂ２）外科用デジタル顕微鏡の画像とＸ線画像を表示することと、
ｂ３）デジタル外科手術用スコープの画像とＸ線画像との相似点を表示することと、
ｂ４）多くの画像を選択して、マルチビュー表示されることによって、画像を比較することと、
ｂ５）以前の問題から可能な治療計画もしくは治療結果を公開するための多くの画像を選択することで、患者の症例を公開することと
を含む歯科用顕微鏡の処置。
【発明の詳細な説明】
【技術分野】
【０００１】
本発明は、歯科用顕微鏡の処置方法に関し、そして、歯科医が、スクリーン上の画像を見ることで小さな接眼レンズを覗くことなく外科手術を含む歯科処置をおこなえるものである。
【０００２】
さらに、この発明は、歯科用顕微鏡の処置方法に関し、デジタル外科用顕微鏡から取得された画像を記録し、処理し、より使いやすい画像データ読込装置である。
【背景技術】
【０００３】
顕微鏡の最近の変化は、外科手術の工程を中断させ、そして、外科治療の処置の特性、効率、安全性、そして、快適性を改善することにほとんど効果がない。今日では多くの歯科医は、移動性を制限され、そして、首、肩、そして、目の疲労の原因となる顕微鏡を使用する。他の望遠顕微鏡は、外科手術の工程の妨げとなり、外科手術の間に不必要な困難を与えつつ、適切な画像を取得するためにスコープを調整して、絶えず焦点を合わせる歯医者を必要とする。歯科医または患者が動いたり、もしくは、スコープを動かすと、画像が再び移動して、それから、画像がぼやけて、我々は焦点を合わせなおす必要がある。
【０００４】
本発明は、使用者を広範囲が原因で焦点を合わせなおす一定の必要性から自由にし、使用者を、目、首、肩、および、背中の疲労のような現在の顕微鏡の市場によって主張されている身体的な課題から開放させる。
【０００５】
それに加えて、デジタル外科手術用スコープ（ＤＳＳ）は、将来の歯科治療と外科手術を改善するために道具と装置を提供する。デジタル外科手術用スコープは、拡大された（光学およびデジタルズームの組み合わせにより）高品質の外科手術用ディスプレイを、たとえ、画像ソフトウェアが外科手術中にストリーミング・ビデオを記憶することとスナップ写真を読み込むことを許容している間に、リアルタイムに起きても、提供する。
【０００６】
以前の顕微鏡と違って、デジタル外科手術用スコープは、すべてが含まれており、患者の管理、画像処理用ソフトウェア、インライン光照明アセンブリ、ビデオカメラユニット、コンピュータ、そして、モニタを含むすべてがひとつに組み合わされており、以前では手に入らなかった便利さを提供するものである。
【０００７】
これに加え、デジタル外科手術用スコープは、さらに、非常に操作しやすいことで際立っている。ましてや方向性と角度、または、その一方で操作しやすさに制限がある従来のスコープと違い、ほとんどどのような方向と角度、または、その一方で動かすことができる。
【０００８】
さらに、デジタル外科手術用スコープは、独自に、実際の被写界深度を提供する。一般的に、ビデオカメラがついている有用な顕微鏡は、制限された被写界深度しか表示できない。たとえば、歯科医業の実施にましてや扱いにくい従来の顕微鏡で作ることである。デジタル外科手術用スコープの被写界深度は、歯科医により困難な手術をおこなう一方で、より多くことを許容する。
【０００９】
デジタル外科手術用スコープの方法は、従来のスコープより大きな倍率を許容する画像にデジタル的な高機能化を提供する点で際立つ。例えば、１２０倍（光学およびデジタルズームを組み合わせて）に対して、従来のスコープでは、最大４０倍である。
【００１０】
画像ソフトウェアは、使用者に、患者のデータベースを直接、ストリーミング・ビデオ、もしくは、スナップ写真のいずれか一方の画像を記録することを許容する。今日売られている他の装置は、この機能を許容していない。
【００１１】
歯科医は、処置を実行するためにスコープをじっと見る必要がない。その代わり、彼と彼女、もしくは、その一方が、快適に座り、彼と彼女の、もしくはその一方の仕事を、モニタ上でより大きな倍率でみることでできる。
【００１２】
分割表示は、我々に同時に写真とストリーミング・ビデオを含む各種の画像を見ることを許容する。
【００１３】
従来の装置は、歯科医を制限した。ルーペとヘッドライトをつけて、彼と彼女、もしくは、その一方は、人間工学に乏しい結果、ランプのコードでつながれる。
【００１４】
公表された研究によると、「歯科医の８０％が、慢性的な背中と首の苦痛に苦しんでいる。」とある。デジタル外科手術用スコープは、彼と彼女、もしくは、その一方を、まっすぐ座ることを許容し、移動するためにより多くの自由を与えられることによって、首と背中、そして目の疲れから歯医者を開放することができる。今日、市場にある他の歯科用顕微鏡装置では、あの請求項を作り上げることができない。
【発明の開示】
【発明が解決しようとする課題】
【００１５】
それゆえに、デジタル外科手術用スコープの必要性は、長い間、示され続けている。この発明は、これらの問題を解決し、長年の要望を満足することを対象とする。
【００１６】
本発明は、以前の技術の不都合なところを解決するために考案する。
【００１７】
本発明の目的は、歯科用顕微鏡の処置方法を提供するものであり、歯科医にスクリーン上のライブ画像を見ることで、小さな接眼レンズを覗くことなく、手術を含む歯科の処置をおこなうことが可能なものである。
【００１８】
本発明の他の目的は、歯科用顕微鏡の処置方法を提供するものであり、顕微鏡から取得した画像および使いやすいＸ線写真を記録することと、処理することを構成するものである。
【課題を解決するための手段】
【００１９】
本発明は、歯科用顕微鏡の処置に関する方法を提供し、インライン照明アセンブリのインラインレンズを含むデジタル外科手術用スコープに役立つものである。
【００２０】
デジタル外科手術用スコープを使う歯科用顕微鏡の処置方法は、実行すべきデジタル外科手術用スコープの機能を選択するステップ、画像データ読込装置もしくはライブ用またはスチル用の画像データ処理／記憶装置から対応するライブ画像もしくはスチル画像を取得するステップ、画像データ処理／記憶装置によって、ライブ画像もしくはスチル画像を処理するステップ、そして、ディスプレイ上にライブ画像もしくはスチル画像を表示するステップを含む。
【００２１】
歯科の外科手術の処置は、ディスプレイ上に表示されたライブ画像もしくはスチル画像を見ながらおこなわれる。
【００２２】
デジタル外科手術用スコープは、デジタル外科手術用スコープ、画像データ読込装置、画像データ処理／記憶装置、画像データ処理装置からライブ画像もしくはスチル画像を表示するための一つ以上のディスプレイを含む。
【００２３】
デジタル外科手術用スコープは、対象物の光学像を拡大するための顕微鏡レンズ・アセンブリと、顕微鏡レンズ・アセンブリと同じ方向から同じ光学軸にそって対象物を照明するためのインライン照明装置とを含む。
【００２４】
画像データ処理／記憶装置の目的は、顕微鏡レンズ・アセンブリと画像データ読込装置とによって読み込まれた画像データを記憶して、処理することである。
【００２５】
デジタル外科手術用スコープの機能は、スチル画像を読み込むこと、ビデオ画像を流すこと、画像を強調すること、ビデオ画像を再生すること、履歴をブラウズすること、そして、ウインドウを画面移動することを含む。画像を読み込むプロセスは、画像の特性を調整すること、調整された画像を読み込むこと、そして、他の機能が実行されるまで、画像を再生することを含む。読み込んだ画像は、画像データ処理／記憶装置に記憶される。
【００２６】
画像の特性は、ホワイトバランス、ＲＧＢカラー／ガンマ値、視野領域、ズームイン／アウト、そして、フルスクリーン表示を含む。特性は、さらに、画像データ読込装置のゲイン、オフセット、そして、露光を制御することで調整される。調整された画像を読み込むプロセスは、スナップ画像もしくはビデオを読み込むステップを含む。調整された画像を読み込むプロセスは、画像を削除するステップ、画像を保存するステップ、そして、画像を元に戻すステップを含む。
【００２７】
画像を強調するプロセスは、画像の特性を調整するステップ、画像を解析するステップ、画像に注釈を入れるステップを含む。画像の特性は、輝度とコントラスト、エッジ強調、そして、ヒストグラム・コントラストを含む。画像を解析するステップは、画像を回転し、ズームイン／アウトし、画面移動し、拡大し、そして、幾何学的な寸法を測定する画像を処理するステップを含む。処理するプロセスは、虹彩絞りを含むデジタル外科手術用スコープに向けて光の総量を制御するステップを含む。
【００２８】
画像を注釈するプロセスは、テキストと幾何学的な対象物で、線と図形を含むものを加えるステップを含む。
【００２９】
履歴をブラウズするプロセスは、サムネイル形式で記憶された画像のすべてを表示するステップ、システムの外部からインポートした画像と共に画像データ読込装置から読み取った画像を表示するステップ、画像データ読込装置からの画像とシステムの外部からの画像とを比較するステップ、そして、記憶するかもしくは表示する多くの画像以外の画像を選択し、表示するステップを含む。システムの外部からの画像は、Ｘ線検査の画像を含む。履歴をブラウズするプロセスは、画像データ処理／記憶装置に記憶された多くの画像から一つ以上の画像を選択するステップと、そして、ディスプレイ上に選択する画像を表示するステップとをさらに含む。
【００３０】
ウインドウを画面移動するプロセスは、ウインドウ・スクリーン上のライブ・ビデオ画像を表示するステップ、ストリーミング・ライブ・ビデオ画像からある範囲を探し出し、探し出すウインドウを処理するステップ、そして、処理するウインドウ・スクリーンを表示するステップを含む。ライブ・ウインドウ・スクリーンおよび処理するウインドウ・スクリーンは、同じディスプレイに表示される。処理するプロセスは、読み込むこと、拡大すること、そして、ズームインとズームアウトすることを含み、探し出すプロセスは、所定の幾何学的な図形のカーソルをトラックするステップと、カーソルの内側を拡大するステップを含む。
【００３１】
画面移動ウインドウのプロセスは、ウインドウ・スクリーン上のライブ・ビデオ画像を表示するステップ、ストリーミング・ライブ・ビデオ・スクリーンから関心のある範囲を探し出すステップ、ストリーミング・ライブ・ビデオの画像から関心のある範囲を探し出すステップ、探し出したウインドウを処理するステップ、そして、処理されたウインドウ・スクリーンを表示するステップを指す。画面移動ウインドウの機能は、歯科医に、カメラもしくは患者を動かして、再び焦点を合わせて、そして、再び調整する必要はなく、ある範囲を拡大するだけでなく読み込みも許容している。画面移動ウインドウは、歯科医に、位置表示の囲いで、適宜、赤色の輪郭の囲み線でスクリーン上に選択した範囲を指したものであり、マウスをドラッグするために使用することで、特定の歯、周辺の歯、もしくは、歯茎のラインを簡単に読み込むことを許容する。ライブおよび処理されたウインドウ・スクリーンは、同じスクリーンの中に示される。画面移動ウインドウのアイコンをクリックすることによって、画面移動ウインドウは、取り込みウインドウの左側に現すことができる。画面移動ウインドウが現れると、拡大アイコンをクリックされなければならない。一度、画像が拡大されると、歯科医は、画面移動ウインドウ内の位置表示の囲いをドラックすることで、患者の冒された範囲を診断するために画面移動ウインドウを使うことができる。歯科医は、位置表示の囲いにより作動している範囲を読み込んで、そして、マウスを拡大するために、画面移動ウインドウの中を動かして使用することができる。
【００３２】
画像データ処理／記憶装置は、歯科治療と外科手術のために画像データ読込装置からの画像データを記憶し、処理し、そして、表示する。デジタル外科手術用スコープは、患者の上で彼と彼女、もしくはその一方の処置をおこなうための十分な仕事空間のほとんどを許容する実質的な距離から高精細の画像を表示し、そして、デジタル外科手術用スコープは、三次元でデジタル外科手術用スコープを処置するためのフリー・メカニカル・アームを含む。
【００３３】
前記方法は、画像を消去するステップ、画像をエクスポートするステップ、システムの外部から画像をインポートするステップ、マルチビュー表示するステップ、画像を印刷するステップ、そして、患者に従い体系づけられるデータベースと共に画像を管理するステップをさらに含む。
【００３４】
前記システムは、多くのデジタル外科手術用スコープ、コミュニケーションネットワーク、そして、画像データ処理／記憶装置の動きを制御するための一つ以上の制御装置をさらに含む。また、取り外し可能な鏡もしくはプリズムのような反射する機構の材料は、口の内側からデジタル外科手術用スコープに画像を反射させるためのデジタル外科手術用スコープから延長された棒の上に配置される。制御装置は、ボタン、ペダル、そして、レバーを含む。前記方法は、一つ以上の離れたディスプレイ上の画像を表示するステップ、インターネット経由でコミュニケーションネットワークを通してビデオ画像を流し、放送するステップ、そして、画像データ読込装置と制御装置と共に画像データ処理／記憶装置の動作を制御するステップをさらに含む。
【００３５】
画像データ読込装置は、電荷結合素子（ＣＣＤ）もしくは相補型金属酸化膜半導体（ＣＭＯＳ）を含む。画像データ処理／記憶装置は、コンピュータを含む。
【００３６】
インライン照明装置は、光源とビームスプリッタを含み、光源は、光ファイバ装置を含み、そして、顕微鏡の光学軸と平行に光を放出する。
【００３７】
鏡もしくはプリズムは、光源から光の方向を９０度もしくは異なる角度に変更する。また、光源は、鏡もしくはプリズムなしで、ビームスプリッタから直接放出してもよい。ビームスプリッタは、光学軸に向かって４５度もしくは９０度で顕微鏡の光学軸に配置される。デジタル外科手術用スコープは、メインボックス、光ファイバケーブル、そして、画像データ読込装置をさらに含む。
【００３８】
デジタル外科手術用スコープは、光学とデジタルズームを含めて１２０倍まで調整可能な倍率をもっており、近い将来により大きくなるかもしれない。
【００３９】
前記方法は、新しい患者の情報のデータベースを作成するステップ、データベースから所定の患者の情報もしくは所定の患者の検査履歴を検索するステップをさらに含む。
【００４０】
その代わりに、デジタル外科手術用スコープを使用するデジタル顕微鏡の処置は、ａ）新しい患者に対するデータベースの入力項目を作成するステップ、ｂ）所定の患者を選択して、データベースから関係する情報を検索するステップ、ｃ）検索された情報を表示するステップ、ｄ）患者に対する新しい検査項目を作成するステップ、ｅ）検査の履歴を開き、患者の検査項目を選択するステップ、ｆ）スチル画像を読み込むステップ、ｇ）画像を強調するステップ、ｈ）ストリーミング・ビデオの画像を記録するステップ、ｉ）患者
の履歴をブラウズするステップ、そして、ｊ）画像の機能であって、削除すること、エクスポートすること、インポートすること、マルチビューすること、印刷すること、そして、データベースの画像を管理することを含む機能を選択し、実行するステップを含む。
【００４１】
スチル画像を読み込むことおよびストリーミング・ビデオの画像を記録すること、もしくは、その一方のプロセスは、ｃ１）カメラ制御、ホワイトバランス、ＲＧＢカラー・ガンマ値、視野領域、ズームイン、ズームアウト、そして、フルスクリーンを調整することによって、ライブ画像の特性を調整することで、カメラ制御は、ゲイン、オフセット、そして、露光を含むこと、ｃ２）調整されたライブ画像を表示すること、ｃ３）スナップ写真の画像とビデオクリップを読み込むこと、ｃ４）読み込むことをフットペダルもしくはボタンで制御すること、ｃ５）読み込む画像もしくはビデオを再生すること、そして、ｃ６）削除すること、保存すること、そして、元に戻すことの機能を選択するまでは、画像もしくはビデオの詳細を表示することを含む。
【００４２】
画像を強調するプロセスは、ｅ１）輝度、コントラスト、エッジ強調、そして、ヒストグラム・コントラストを制御することで、画像の特性を調整すること、ｅ２）回転し、ズームイン／アウトし、画面移動し、拡大し、そして、幾何学的な寸法を測定する画像を処理するために画像を解析することで、幾何学的な寸法は、角度、長さ、２点間の距離を含むこと、そして、ｅ３）テキストと幾何学的な対象物を加えることにより、画像に注釈を入れることで、幾何学的な対象物は、線や図形を含むことを含む。
【００４３】
患者の履歴をブラウズするプロセスは、ｂ１）サムネイル形式ですべての画像を表示すること、ｂ２）外科用デジタル顕微鏡の画像とＸ線画像を表示すること、ｂ３）デジタル外科手術用スコープの画像とＸ線画像との相似点を表示すること、ｂ４）多くの画像を選択して、マルチビュー表示されることによって、画像を比較すること、そして、ｂ５）以前の問題から可能な治療計画もしくは治療結果を公開するための多くの画像を選択することで、患者の症例を公開することを含む。
【００４４】
デジタル外科手術用スコープは、顕微鏡を改良するための最適なデジタル技術を利用する。今の発明は、デジタルカメラを考慮に入れており、歯科の診断と外科手術の間に、光学ズームおよびデジタルズームを組み合わせて調整可能な倍率であり、高解像度で一以上のモニタに表示するためにどのような歯科の診断と外科手術、もしくは、その一方のストリーミング・ライブ・ビデオ画像を読み込むために、患者の口から２〜２０インチの距離に位置する。歯科医は、臨床治療のカルテ、後学、訓練、文書調査、もしくは、その他の用途のためのコンピュータ・ソフトウェア・データベースを含む内蔵ハードドライブに、もしくは、光学式外付けドライブまたはＤＶＤレコーダーにストリーミング・ビデオ画像を記録できる。ストリーミング・ビデオは、異なる配置と場所、もしくは、その一方で多くのモニタに表示することができ、そして、インターネット経由でストリーミング・ビデオ放送を放送できる。
【００４５】
本発明は、調整可能な倍率の画像の変換と歯科治療と外科手術、もしくは、その一方の間に、モニタ上のライブとストリーミング、もしくは、その一方の口内画像の表示を含む。カメラヘッドは、口から少なくとも２〜２０インチ離れた口の外で保持できる。
【００４６】
本発明の特徴は、（１）歯科用顕微鏡の処置方法およびシステムは、歯科医に、顕微鏡の固定された接眼レンズを覗く必要がなく、ゆえに、歯科医は、快適にスクリーン上に表示された関心のある範囲を見ることができる。（２）発明のシステムは、デジタル機能の強化を加えた従来の顕微鏡とルーペより何度も画像を拡大する。（３）発明のシステムについて、歯科医は、患者をイスから動かすときに、焦点を合わせる必要がない。視野領域は、関心のある範囲を再配置することで、焦点を合わせなおすことが必要ではなくなることが、重要である。従来のスコープとルーペについて、視野領域は、倍率と共に減少し、作業は、歯科医がそれぞれのわずかな動きに対して焦点を合わせなおす間に終わらせなければならない。それに加え、ズームインの間に関心のある異なる範囲に焦点を合わせるために、歯科医は、最初にズームアウトして、関心のある範囲を同定して、逆戻りにズームインして、そして、焦点を合わせなおす。一方、前記システムは、特別なステップを必要とせず、最低限の調整が必要であるのみである。（４）発明の画像処理および管理ソフトウェアは、歯科医に、写真を撮ることともしくはビデオを流すことと、そして、直接、患者のデータベース内の患者のデジタルファイルに保存することを許容する。（５）前記システムは、分割表示上に隣合わせに、外科用スコープの画像とＸ線画像を一緒に表示することが可能であり、前記のものは、より診察に役立つ道具を提供する。（６）前記システムは、一度に多くのモニタ上にストリーミング・ビデオもしくは記録された画像を表示する能力を持っており、プレゼンテーションもしくは教育集会で非常に都合がよいものである。（７）前記システムは、非常に人間工学的に改善され、歯科医を長期に及ぶ身体的な疲れから開放させる。歯科医は、動きについてより自由となり、疲れの原因であった、彼を苦しめていたルーペとヘッドライトの重さと共に腰を屈める必要はない。（８）前記システムは、非常に動きやすい。前記システムは、接眼レンズがないからであり、歯科医は、カメラヘッドを、従来の顕微鏡では不可能であった、患者の口の端にさえ、彼と彼女、もしくは、その一方が望むほとんどどんな角度や方向にでも動かすことができる。（９）前記システムの学習曲線は、とても短いものである。歯科医は、顕微鏡の技術に熟知するようにならなくてもよい。モニタ上の画像のデジタルディスプレイと前記システムの明りょうで単純な押しボタン操作は、だれでも使うことが簡単であるように作られる。（１０）被写界深度は、どんな他のスコープの中でも最上である。被写界深度は、歯科の治療で絶対に必要であり、歯科医が正確に仕事をするために、口の次元に正確な表現が必要であるためである。口の被写界深度がないときは、無次元の平らな表面として見える。アナログ・スコープで、ビデオカメラを装着したものは、歯科医に口の三次元の環境を見分けるために必要であるどのような診断においてもほとんど実施することを困難である被写界深度がなく、制限されている、もしくは、その一方である。（１１）前記システムは、デジタル顕微鏡である。（１２）前記システムは、画像処理および管理ソフトウェア、画像とデータの記憶装置のためのハードドライブを含むコンピュータ、１７型ＬＣＤモニタ、制御パネル、そして、内蔵された電動ビデオカメラを含む一体型パッケージのデジタル顕微鏡を提供する。（１３）カメラの視野は、接眼レンズを覗くことなく、調整することができ、快適な座り位置から、すべての視界に対する調整が、ボタンをクリックしてすることができる。そして、（１４）視野領域は、より大きい写真の視野を失うことなく、高倍率である間でさえ、大きいままである。である。
【００４７】
本発明は、簡潔に要約するが、発明を完全に理解することは、後で述べる図面、詳細な説明、そして、添付の請求項によって、得ることができる。
【００４８】
前記のものと、その他の特徴で、本発明の外観や有利な点は、後に添付する図面を参照してより理解することができる。
【発明を実施するための最良の形態】
【００４９】
図１は、本発明によるデジタル外科手術用スコープ１００の透視図を示す。
【００５０】
図２は、本発明による歯科用顕微鏡の処置方法Ｓ１０００を示すフローチャートを示す。
【００５１】
デジタル外科手術用スコープ１００を使う歯科用顕微鏡の処置方法Ｓ１０００は、実行すべきデジタル外科手術用スコープ１００の機能を選択するステップ（Ｓ１０２２）、画像データ読込装置１２もしくは画像データ処理／記憶装置３０（図１、図７、および、図８参照）から対応する画像を取得するステップ（Ｓ１１００）、画像データ処理／記憶装置３０によって画像を処理するステップ（Ｓ１２００、Ｓ１３００）、そして、図１および図２に示すように、ディスプレイ２０上に画像を表示するステップ（Ｓ１０１４）を含む。
【００５２】
歯科の外科手術の処置は、ディスプレイ２０上に表示された画像を見ながらおこなわれる。
【００５３】
デジタル外科手術用スコープ１００は、デジタル外科手術用スコープ１０、画像データ読込装置１２、画像データ処理／記憶装置３０、そして、画像データ処理／記憶装置３０から画像を表示するための一つ以上のディスプレイ２０を含む。
【００５４】
図７、図８に示すように、デジタル外科手術用スコープ１０は、対象物９０の光学像を拡大するための顕微鏡レンズ・アセンブリ１４と、顕微鏡レンズ・アセンブリ１４と同じ方向から同じ光学軸９１にそって対象物９０を照明するためのインライン照明装置１６とを含む。照明装置１６は、光ファイバの光源１９、ビームスプリッタ１８、そして、光ファイバケーブル１７を含む。
【００５５】
画像データ処理／記憶装置３０は、顕微鏡レンズ・アセンブリ１４と画像データ読込装置１２によって読み取られた画像を処理するためのものである。
【００５６】
デジタル外科手術用スコープ１００の機能は、画像を読み込むステップＳ１１００（図３参照）、画像を強調するステップＳ１２００（図４参照）、履歴をブラウズするステップＳ１３００（図５参照）、そして、Ｓ１２０８においてウインドウを画面移動するステップ（図４参照）を含む。画像を読み込むステップＳ１１００は、画像の特性を調整するステップＳ１１０２、調整された画像とビデオを読み込むステップ（Ｓ１１０６、Ｓ１１１０、Ｓ１１１４；Ｓ１１０８、Ｓ１１１２、Ｓ１１１６、Ｓ１１１８）、そして、他の機能が実行されるまで、画像を再生するステップ（Ｓ１１２０、Ｓ１１２６、Ｓ１１３０）を含む。
【００５７】
読み込んだ画像は、画像データ処理／記憶装置３０に記憶される。Ｓ１２０８においてウインドウ・スクリーンＳ１２５０上のストリーミング・ビデオ画像を画面移動するステップは、図６に詳細を示す。
【００５８】
画像の特性は、ホワイトバランス、ＲＧＢカラー／ガンマ値、視野領域、ズームイン／アウト、そして、フルスクリーンを含む。特性は、画像データ読込装置１２のゲイン、オフセット、そして、露光を制御することでさらに調整される。調整された画像を読み込むステップＳ１１００は、スナップ画像もしくはストリーミング・ビデオを読み込むステップＳ１１０６、Ｓ１１０８を含む。調整された画像を読み込むステップＳ１１００は、画像を削除するステップ、画像を保存するステップ、そして、画像を元に戻すステップＳ１１２４を含む。
【００５９】
画像を強調するステップＳ１２００は、画像の特徴を調整するステップＳ１２０２、Ｓ１２０４、画像を解析するステップＳ１２０６、Ｓ１２０８、そして、画像に注釈を入れるステップＳ１２１０、Ｓ１２１２を含む。画像の特性は、輝度とコントラスト、エッジ強調、そして、ヒストグラム・コントラストを含む。画像を解析するステップＳ１２０８は、画像を回転し、ズームイン／アウトし、画面移動し、拡大し、そして、幾何学的な寸法を計測する画像を処理するステップを含む。処理するステップは、光ファイバの光源１９の中にある虹彩絞りを含むデジタル外科手術用スコープに向けて光の総量を制御するステップを含む。
【００６０】
画像を注釈するステップＳ１２１０は、テキストと、線と図形を含む幾何学的な対象物とを加えるステップを含む。
【００６１】
履歴をブラウズするステップＳ１３００は、サムネイル形式で記憶された画像のすべてを表示するステップ（Ｓ１３０２、Ｓ１３０８、Ｓ１３１４）、外部からインポートした画像と共に画像データ読込装置から読み取った画像を表示するステップ（Ｓ１３０４、Ｓ１３１０、Ｓ１３１６）、画像データ読込装置からの画像と外部からの画像とを比較するステップ（Ｓ１３０６、Ｓ１３１２、Ｓ１３１８）、そして、記憶するかもしくは表示する多くの画像以外の画像を選択し、表示するステップ（Ｓ１３０８、Ｓ１３１０、Ｓ１３１２）を含む。システム１００の外部からの画像は、Ｓ１３０４、Ｓ１３１０、Ｓ１３１６、Ｓ１３１２、Ｓ１３１８におけるＸ線検査の画像を含む。
【００６２】
履歴をブラウズすることステップＳ１３００は、画像データ処理／記憶装置３０に記憶された多くの画像から一つ以上の画像を選択するステップ（Ｓ１３２２、Ｓ１３２４）と、ディスプレイ２０上に選択した画像を表示するステップ（Ｓ１３３２）とをさらに含む。
【００６３】
ウインドウを画面移動するプロセスは、ライブ・ウインドウ・スクリーンを表示すること、ライブ・ウインドウ・スクリーンから関心のある範囲を探し出すこと、探し出されたウインドウを処理すること、そして、処理されたウインドウ・スクリーンを表示することを含む。ライブ・ウインドウ・スクリーンおよび処理されたウインドウ・スクリーンは、同じディスプレイ２０上に表示される。処理するプロセスは、読み取ること、拡大すること、そして、ズームインおよびアウトを含む。そして、探し出すプロセスは、所定の幾何学的な図形のカーソルをトラックすることと、カーソルの内側を拡大することとを含む。
【００６４】
図１２に示すように、画面移動ウインドウのプロセスは、ウインドウ・スクリーン９０上のライブ・ビデオ画像を表示するステップ、ストリーミング・ライブ・ビデオ・スクリーン９０から関心のある範囲９１を探し出すステップ、ストリーミング・ライブ・ビデオ画像９１から関心のある範囲９２を探し出すステップ、探し出したウインドウ９２を処理するステップ、そして、処理されたウインドウ・スクリーン９４を表示するステップを指す。画面移動ウインドウの機能は、歯科医に、クリック可能なコントロールボタン９６を含むコントロールボタンを使用して、カメラもしくは患者を動かして、再び焦点を合わせて、再び調整する必要はなく、範囲９４を拡大するだけでなく読み込みも許容している。画面移動ウインドウは、歯科医に、位置表示の囲い９３で、適宜、赤色の輪郭の囲み線でスクリーン上に選択した範囲を指したものであり、マウスをドラッグするために使用することで、特定の歯、周辺の歯、もしくは、歯茎のラインを簡単に読み込むことを可能にさせる。ライブおよび処理されたウインドウ・スクリーンは、同じスクリーン９９の中に表示される。画面移動ウインドウのアイコンをクリックすることによって、画面移動ウインドウは、取り込みウインドウの左側に現すことができる。画面移動ウインドウが現れると、拡大アイコンはクリックされなければならない。一度、画像が拡大されると、歯科医は、画面移動ウインドウ内の位置表示の囲いをドラックすることで、患者の冒された範囲を診断するために画面移動ウインドウを使うことができる。歯科医は、位置表示の囲いにより作動している範囲を読み込んで、拡大するために、マウスを画面移動ウインドウの中を動かして使用することができる。
【００６５】
画像データ処理／記憶装置３０は、歯科治療と外科手術のために画像データ読込装置１２からの画像データを記憶し、処理し、そして、表示する。デジタル外科手術用スコープ１００は、患者から十分離されており、そして、デジタル外科手術用スコープ１００は、三次元でデジタル外科手術用スコープ１０を処置するためのフリー・バランス・メカニカル・アームを含む。
【００６６】
前記方法Ｓ１０００は、画像を削除するステップ、画像をエクスポートするステップ、システム１００の外部から画像をインポートするステップ、マルチビューするステップ、画像を印刷するステップ、データベースの画像を管理するステップ（Ｓ１０３２）をさらに含んでおり、そして、データベースは、患者に従い体系づけられている。
【００６７】
図９に示すように、前記システム１００は、多数のデジタル外科手術用スコープ１０、コミュニケーションネットワーク５０、そして、画像データ処理／記憶装置３０の動きを制御するための一つ以上の制御装置３２をさらに含んでおり、そして、取り外し可能な鏡もしくはプリズム１３のような反射する材料は、口の内側からデジタル外科手術用スコープ１０（図１０、図１１参照）に画像を反射させるためのデジタル外科手術用スコープ１０から延長された棒１１の上に配置されている。取り外し可能な鏡１３は、デジタル外科手術用スコープの中の口の隠れた内部の画像を反射させるためのものである。制御装置３２は、図１に示すように、ボタン、ペダル、そして、レバーを含む。前記方法Ｓ１０００は、さらに、一つ以上の離れたディスプレイ６０の画像を表示するステップ、インターネット経由でコミュニケーションネットワーク５０を通して画像とビデオを流し、放送するステップ、そして、図９に示すように画像データ読込装置１２および制御装置と共に画像データ処理／記憶装置３０の動作を制御するステップを含む。
【００６８】
画像データ読込装置１２は、電荷結合素子（ＣＣＤ）もしくは相補型金属酸化膜半導体（ＣＭＯＳ）を含む。画像データ処理／記憶装置３０は、コンピュータと画像読込・記憶装置とを含む。
【００６９】
インライン照明装置１６は、光源１９とビームスプリッタ１８とを含む。そして、光源１９は、光ファイバ装置１７を含んでおり、そして、顕微鏡１０の光学軸９１と平行に光を放出する。
【００７０】
鏡もしくはプリズム１５は、光源１９から光の方向を９０度に変更する。また、光源１９は、鏡もしくはプリズム１５なしで、ビームスプリッタ１８から直接放出してもよい。ビームスプリッタ１８は、光学軸９１に向かって４５度で顕微鏡の光学軸９１に配置されており、対象物９０に向かって鏡もしくはプリズム１５から光を反射して、そして、対象物９０から顕微鏡１０のレンズ部１４に向う光が通過することを許容している。
【００７１】
デジタル外科手術用スコープ１０は、光学とデジタルズームを含めて１２０倍まで調整可能な倍率をもっている。
【００７２】
前記方法Ｓ１０００は、図２に示すように、新しい患者の情報のデータベースを作成するステップＳ１０１８と、データベースから所定の過去の患者の情報もしくは検査履歴を検索するステップＳ１０１６とをさらに含む。
【００７３】
その代わりに、デジタル外科手術用スコープ１００を使用するデジタル顕微鏡の処置は、ａ）新しい患者に対するデータベースの入力項目を作成するステップ（Ｓ１０１２）、ｂ）所定の患者を選択して、データベースから関係する情報を検索するステップ（Ｓ１０１６）、ｃ）検索された情報を表示するステップ（Ｓ１０１８）、ｄ）患者に対する新しい検査項目を作成するステップ（Ｓ１０１８）、ｅ）検査履歴を開き、患者の検査項目を選択するステップ（Ｓ１０２４）、ｆ）画像を読み込むステップ（Ｓ１０２２）、ｇ）画像を強調するステップ（Ｓ１０２６）、ｈ）患者の履歴をブラウズするステップ（Ｓ１０２８）、そして、ｉ）画像の機能を選択し、実行するステップ（Ｓ１０３２）を含む。機
能は、図２に示すように、削除すること、エクスポートすること、インポートすること、マルチビューすること、印刷すること、そして、データベースの画像を管理することを含む。
【００７４】
画像を読み込むステップ（Ｓ１１００）は、ｃ１）カメラ制御、ホワイトバランス、ＲＧＢカラー・ガンマ値、視野領域、ズームイン、ズームアウト、および、フルスクリーンを調整することによって、ライブ画像の特性を調整することで、カメラ制御は、ゲイン、オフセット、そして、露光を含むステップ（Ｓ１１０２）、ｃ２）調整されたライブ画像を表示するステップ（Ｓ１１０４）、ｃ３）スナップ写真の画像およびビデオクリップを読み込むステップ（Ｓ１１０６）、ｃ４）読み込むことをフットペダル、もしくは、ボタンで制御するステップ（Ｓ１１１０）、ｃ５）読み込む画像もしくはビデオを再生するステップ（Ｓ１１２０）、そして、ｃ６）図３に示すように、削除すること、保存すること、そして、元に戻す機能を選択するまでは（Ｓ１１２４）、画像もしくはビデオの詳細を表示するステップ（Ｓ１１２２）を含む。
【００７５】
画像を強調するステップ（Ｓ１２００）は、ｅ１）輝度、コントラスト、エッジ強調、そして、ヒストグラム・コントラストを制御することで、画像の特性を調整するステップ（Ｓ１２０２）、ｅ２）回転し、ズームインし、ズームアウトし、画面移動し、拡大し、そして、幾何学的な寸法を計測する画像を処理するために画像を解析し、そして、幾何学的な寸法は、角度、長さ、２点間の距離を含むステップ（Ｓ１２０８）、ｅ３）テキストや幾何学的な対象物を加えることにより、画像に注釈を入れ、そして、幾何学的な対象物は、線や図形を含むステップ（Ｓ１２１２）を含む。
【００７６】
患者の履歴をブラウズするステップ（Ｓ１３００）は、ｂ１）サムネイル形式ですべての画像を表示するステップ（Ｓ１３０８）、ｂ２）外科用デジタル顕微鏡の画像とＸ線画像を表示するステップ（Ｓ１３１０）、ｂ３）外科用デジタル顕微鏡の画像とＸ線画像との相似点を表示するステップ（Ｓ１３１２）、ｂ４）多くの画像を選択して、マルチビューされた画像を比較するステップ（Ｓ１３２０）、そして、ｂ５）以前の問題から可能な治療計画もしくは治療結果を公開するための多くの画像を選択することで、患者の症例を公開するステップ（Ｓ１３３２）を含む。
【００７７】
最も注目すべき請求項の一つは、ズームイン・アウト制御機能、焦点制御機能、輝度制御機能、ライブ・ストリーミング・ビデオの記憶制御機能、デジタル画像のスナップ写真撮影制御機能、そして、いつでも、記憶されたビデオの表示する制御機能である。これらの機能は、フットペダルもしくはハンド制御を使用することで、より簡単に実行することができる
【００７８】
歯医者は、フットペダルを使用してライブ・ストリーミング・ビデオを記憶して、ビデオのスナップ写真を撮ることと同様に、上手に、ズーム、焦点、そして、輝度を調整することができる。これらのフットペダルは、処置もしくは外科手術の間にスコープに触るための歯医者の必要を減らし、調整をするために歯科用装置を下に置く必要性を減らし、したがって、汚染の可能性に対する心配から開放される。また、歯医者は、他の人間の助けなしでそれらの調整をすることができる。
【００７９】
デジタル外科手術用スコープは、ボタンを押すだけで、ズーム、焦点を合わせること、そして、光の調整の多くの制御機能を有する。
【００８０】
正面パネルのボタン
正面パネルには、コンピュータの電源ボタンと光をオンとオフに切り替えるボタンがある。左側には、ズームイン・アウトの制御機能を示す６つの青いボタン、焦点を調整するボタン、そして、輝度を調整するボタンである。ＬＣＤスクリーンは、選択を表示することを許容している。
【００８１】
二つのアームの制御装置
フリー・バランス・アームの外側の端には、全体のカメラを制御するボタンがある。楽に、このボタンは、カメラを上下に動かして、単に押すだけである。他のボタンは、ズームインもしくはアウトの制御機能および焦点を調整するボタンと、輝度を調整するボタンを示す。カメラのハンドルの上は、作動装置のボタンであり、フリー・バランス・アームの動きを制御するものである。両方のボタンを同時に押して、そのままにすると、容易かつ可変の状態で、上、下、両側、そして、後ろのどんな方向にでもカメラの位置に向かってアームをすばやく押すかもしくは引っ張る。作動装置のボタンを離すことで、所定の位置にフリー・バランス・アームを固定できる。
【００８２】
フリー・バランス・アーム
フリー・バランス・アームは、他の顕微鏡を超える多くの利点を有する。最初の利点は、動力化されたアームである。常設の基礎から、フリー・バランス・アームは、強力に安定させる位置に固定される。これは、カメラが、関心のある範囲に向けるときに、いつも安定することが可能であることを意味する。外部の力と相応する量と同等であっても、フリー・バランス・アームは、動かせないだろう。
【００８３】
他の利点は、カメラが使用状態にないとき、再びそれを必要とするまで、それを邪魔とならないところに移動させることができ、それは、もともとそれが最初にあった場所に戻すことができる。これは、カメラを前記位置に戻すとき、あなたは、関心のある範囲の上に焦点を合わせ直すことが不要であることを意味している。
【００８４】
他の利点は、あなたが作動装置のボタンを離すとき、フリー・バランス・アームは、アームを他の位置に無理やりするのではなくで、自動的に持ち上げることができる。
【００８５】
フットペダル
デジタル外科手術用スコープは、処置中に手を自由にし続ける一方で、調整をすることを許容する二つの異なるフットペダルでハンドフリー処置の機能を与える。これらは、調整用フットペダル（焦点、ズーム、虹彩絞り）と記録および読込用フットペダル（再生、読込、記録）の二つのフットペダルである。
【００８６】
調整用フットペダルは、カメラのハンドル制御と薄膜スイッチ上の正面パネルボタンと同じ機能を有する。ズームイン・アウトを制御し、焦点と輝度を調整するために使用される。
【００８７】
記録および読込用フットペダルは、スナップ写真を撮ったり、記憶されたライブ・ストリーミング・ビデオを開始もしくは停止をしたり、記憶されたビデオを再生したりすることを許容する。
【００８８】
本発明は、それに関してさまざまな実施例を参照して示されたり、特徴を述べてきたのだけれども、形状、細部、構成、そして、処置方法の変異が、請求項により定められた発明の意図や範囲から外れずに構成されたものであれば、当業者によって理解されるものである。
【図面の簡単な説明】
【００８９】
【図１】図１は、本発明によるデジタル外科手術用スコープの透視図である。
【図２】図２は、本発明によるデジタル顕微鏡の処置方法を示すフローチャートである。
【図３】図３は、画像を読み込むステップを示すフローチャートである。
【図４】図４は、画像を強調するステップを示すフローチャートである。
【図５】図５は、履歴をブラウズするステップを示すフローチャートである。
【図６】図６は、画面移動のステップを示すフローチャートである。
【図７】図６は、デジタル外科手術用スコープのブロック図である。
【図８】図７は、外科用デジタル顕微鏡の正面図である。
【図９】図８は、デジタル外科手術用スコープのネットワークを示す概略図である。
【図１０】図１０は、取外し可能な鏡を含めたデジタル外科手術用スコープの正面立体図である。
【図１１】図１１は、取り外し可能な鏡を含めたデジタル外科手術用スコープの側面立体図である。
【図１２】図１２は、画面移動の機能を示すスクリーンの一場面である。
【図１】
2009513304.tif 000003
【図２】
2009513304.tif 000004
【図３】
2009513304.tif 000005
【図４】
2009513304.tif 000006
【図５】
2009513304.tif 000007
【図６】
2009513304.tif 000008
【図７】
2009513304.tif 000009
【図８】
2009513304.tif 000010
【図９】
2009513304.tif 000011
【図１０】
2009513304.tif 000012
【図１１】
2009513304.tif 000013
【図１２】
2009513304.tif 000014
【国際調査報告】
2009513304.tif 000015